(57)【特許請求の範囲】
【請求項１】
電解質を保持した電解質層を燃料極触媒層と空気極触媒層とで挟み、前記燃料極触媒層に燃料ガスのガス流路を有する多孔質材及び前記空気極触媒層に酸化剤ガスのガス流路を有する前記多孔質材を配置した単位セルが積層される燃料電池において、
前記多孔質材に形成される前記ガス流路と平行な端部に、膨張黒鉛シートを含む所定の端部シール材が収縮性樹脂チューブによって被覆され、前記収縮性樹脂チューブの両端が熱融着によって封止され、収縮されたことで前記収縮性樹脂チューブの両端が、前記端部シール材の端面で熱融着された端部シール部材を配置したことを特徴とする燃料電池。
【請求項２】
前記所定の端部シール材を封止する前記収縮性樹脂チューブにガス抜き用の穴を開けることを特徴とする請求項１記載の燃料電池。
【請求項３】
前記ガス抜き用の穴は、前記端部シール部材の厚さ方向の中央位置よりも上部に形成されることを特徴とする請求項２記載の燃料電池。
【請求項４】
前記端部シール部材は、前記所定の端部シール材を前記収縮性樹脂チューブに挿入して前記収縮性樹脂チューブの端部を熱融着により溶断した後、前記収縮性樹脂チューブを収縮させて形成される、ことを特徴とする請求項１記載の燃料電池。
【請求項５】
電解質を保持した電解質層を燃料極触媒層と空気極触媒層とで挟み、前記燃料極触媒層に燃料ガスのガス流路を有する多孔質材及び前記空気極触媒層に酸化剤ガスのガス流路を有する前記多孔質材を配置した単位セルが積層される燃料電池の前記多孔質材に形成される前記ガス流路と平行な端部に配置される端部シール部材において、
膨張黒鉛シートを含む所定の端部シール材が収縮性樹脂チューブによって被覆され、前記収縮性樹脂チューブの両端が熱融着によって封止され、収縮されたことで前記収縮性樹脂チューブの両端が、前記端部シール材の端面で熱融着されたことを特徴とする端部シール部材。
【請求項６】
前記所定の端部シール材を封止する前記収縮性樹脂チューブにガス抜き用の穴を開けることを特徴とする請求項５記載の端部シール部材。
【請求項７】
前記ガス抜き用の穴は、前記端部シール部材の厚さ方向の中央位置よりも上部に形成されることを特徴とする請求項６記載の端部シール部材。
【請求項８】
電解質を保持した保持した電解質層を燃料極触媒層と空気極触媒層とで挟み、前記燃料極触媒層に燃料ガスのガス流路を有する多孔質材及び前記空気極触媒層に酸化剤ガスのガス流路を有する前記多孔質材を配置した単位セルが積層される燃料電池の前記多孔質材に形成される前記ガス流路と平行な端部に配置される端部シール部材の製造方法において、
膨張黒鉛シートを含む所定の端部シール材を収縮性樹脂チューブによって被覆する手順と、
前記収縮性樹脂チューブの端部を熱融着によって溶断して封止する手順と、
前記収縮性樹脂チューブを収縮させる手順と、
を有することを特徴とする端部シール部材の製造方法。
【請求項９】
さらに、熱融着によって封止された前記収縮性樹脂チューブにガス抜き用の穴を開ける手順を有することを特徴とする請求項８記載の端部シール部材の製造方法。
【請求項１０】
前記ガス抜き用の穴は、前記端部シール部材の厚さ方向の中央位置よりも上部に形成することを特徴とする請求項９記載の端部シール部材の製造方法。
【発明の詳細な説明】
【技術分野】
【０００１】
本発明は燃料電池、その端部シール部材及び端部シール部材の製造方法に関し、特に電解質を保持した電解質層を燃料極触媒層と空気極触媒層とで挟み、燃料極触媒層に燃料ガスのガス流路を有する多孔質材及び空気極触媒層に酸化剤ガスのガス流路を有する多孔質材料を配置した単位セルが積層される燃料電池、その端部シール部材及び端部シール部材の製造方法に関する。
【背景技術】
【０００２】
近年、燃料電池は、燃料の化学エネルギーを直接電気エネルギーに変換できることから発電効率が高く環境にもやさしいとして、多様な用途への普及が期待されている。
図５は、燃料電池の単位セルを２積層した状態を示した概略構成図である。
【０００３】
燃料電池は、セパレータ９１ａ，９１ｂの間に、ガス流路を有する多孔質カーボン板９３ａ，９３ｂと、対極を構成する電極部９４ａ，９４ｂが挟持されている。電極９４ａと電極９４ｂとの間には、図示しない電解質層が形成されている。同様に、セパレータ９１ｂ，９１ｃの間に、多孔質カーボン板９３ｃ，９３ｄと、対極を構成する電極部９４ｃ，９４ｄが挟持されている。多孔質カーボン板９３ａ，９３ｂ，９３ｃ，９３ｄのガス流路に平行な外延部には、それぞれのガスが対極に漏洩しないように端部シール部材９２ａ，９２ｂ，９２ｃ，９２ｄが配置されている。
【０００４】
端部シール部材９２ａ，９２ｂ，９２ｃ，９２ｄには、ガス不透過性とともに電解質に対する耐食性が求められている。また、ガス流路の高さを確保する必要もあることから、２ｍｍ程度の厚さも必要である。さらに、電解質を多く含んでしまうと端部シール部材９２ａ，９２ｂ，９２ｃ，９２ｄの端面において上下セル間で電解質が液絡し、上下セル間での電解質の移動などの問題が発生する可能性があるため、端面で電解質が液絡しないことが求められた。これらの条件を満足する端部シール部材９２ａ，９２ｂ，９２ｃ，９２ｄとして、従来は黒鉛化された緻密な炭素材や、セパレータを端部シール部材の幅に切断してフッ素樹脂フィルムを介して積層したものが使用されていたが高価であった。
【０００５】
そこで、安価な膨張黒鉛シートにパーフルオロエチレン系樹脂によりはっ水処理を施して端部シール部材とする技術が提案されている（例えば、特許文献１参照）。
また、側端部のガスシール工程を簡略化するため、多孔質カーボン板を樹脂系の収縮チューブで被覆して端部をシールする技術もある（例えば、特許文献２参照）。
【特許文献１】特許第３８３８４０３号公報
【特許文献２】特開平３−２０５７６４号公報
【発明の開示】
【発明が解決しようとする課題】
【０００６】
しかし、上述のような燃料電池の端部シール部材の構成には、以下のような問題点があった。
膨張黒鉛シートをはっ水処理して端部シール部材に用いる技術は安価に端部シール部材を構成することができるが、パーフルオロエチレン系樹脂によるはっ水処理は運転時間とともに劣化するという問題点がある。数千時間程度の運転では電解質に対する不浸透性を保っているが、数万時間の運転時間では不浸透性の低下が見られる。
【０００７】
また、多孔質カーボン板を樹脂系の収縮チューブで被覆して端部シール部材にする技術では、収縮チューブの両端は開放状態であり、別途工程が必要となるという問題点がある。開放状態の部分をガスシール及び電解質不浸透性とするためには、例えば、開放状態の端面に別途樹脂を含浸させたり、別の樹脂フィルムを端面に融着したりするなどの工程が必要となるため、コスト増の要因となっていた。
【０００８】
本発明はこのような点に鑑みてなされたものであり、端部シール部材の要求性能を十分に備えた安価な燃料電池、その端部シール部材及び端部シール部材の製造方法を提供することを目的とする。
【課題を解決するための手段】
【０００９】
上記課題を解決するために、電解質を保持した電解質層を燃料極触媒層と空気極触媒層とで挟み、燃料極触媒層に燃料ガスのガス流路を有する多孔質材及び空気極触媒層に酸化剤ガスのガス流路を有する多孔質材を配置した単位セルが積層される燃料電池において、多孔質材に形成されるガス流路と平行な端部に、膨張黒鉛シートを含む所定の端部シール材が収縮性樹脂チューブによって被覆され、収縮性樹脂チューブの両端が熱融着によって封止され、収縮されたことで収縮性樹脂チューブの両端が、端部シール材の端面で熱融着された端部シール部材が配置される燃料電池、が提供される。
【００１０】
このような燃料電池によれば、膨張黒鉛シートを含む所定の端部シール材が収縮性樹脂チューブによって被覆され、収縮性樹脂チューブの両端が熱融着によって封止された端部シール部材が、多孔質材に形成される燃料電池のガス流路と平行な端部に配置される。
【００１１】
また、上記課題を解決するために、上記の燃料電池に配置される端部シール部材であって、膨張黒鉛シートを含む所定の端部シール材が収縮性樹脂チューブによって被覆され、収縮性樹脂チューブの両端が熱融着によって封止され、収縮されたことで収縮性樹脂チューブの両端が、端部シール材の端面で熱融着された端部シール部材が提供される。
【００１２】
さらに、上記課題を解決するために、上記端部シール部材の製造方法であって、所定の端部シール材を収縮性樹脂チューブによって被覆する手順と、収縮性樹脂チューブの端部を熱融着によって溶断して封止する手順と、収縮性樹脂チューブを収縮させる手順と、を有する端部シール部材の製造方法が提供される。
【発明の効果】
【００１３】
開示の燃料電池、その端部シール部材及び端部シール部材の製造方法によれば、端部シール材は、収縮性樹脂チューブによって被覆され、収縮性樹脂チューブの両端が熱融着されて封止される。これにより、端部シール部材の両端を含めた全面が樹脂で被覆されるため、ガス不透過性と電解質に対する耐食性を備えることができる。また、端部シール部材の両端は、収縮性樹脂チューブの両端を熱融着して被覆されるので、両端のシールのために別の樹脂フィルムを融着するなどの工程を省くことができる。この結果、端部シール部材の要求性能を十分に備えた安価な燃料電池及びその端部シール部材が得られる。
【発明を実施するための最良の形態】
【００１４】
以下、本発明の第１の実施の形態について説明する。図１は、第１の実施の形態の燃料電池の端部シール部材単体を示した図である。
端部シール部材１０は、本体１１が収縮性樹脂チューブ１２によって被覆されている。
【００１５】
本体１１は、図では点線によって表されており、膨張黒鉛シートを含む所定の端部シール材で形成される。なお、図では説明のため収縮性樹脂チューブ１２との間に隙間があるが、実際には密着される。また、所定の端部シール材は、端部シール材として使用される材を含み、膨張黒鉛シートの他に、例えば、多孔質カーボン板、焼成カーボン板などがある。
【００１６】
収縮性樹脂チューブ１２は、フッ素樹脂がチューブ状に形成されており、加熱することにより収縮して内部に挿入された本体１１を被覆する。使用するフッ素樹脂には、例えば、四フッ化エチレン樹脂（略称ＰＴＦＥ、融点３２７℃）、フッ化アルキコキシエチレン樹脂（略称ＰＦＡ、融点３００〜３１０℃）、フッ化エチレンプロピレン樹脂（略称ＴＦＰ、融点２９０〜３００℃）などがある。チューブ端１４は、端部シール部材１０の長手方向両端面の溶断部１３で熱融着されることによって封止される。ここでは、チューブ端の１４と溶断部１３とは同じになる。また、収縮性樹脂チューブ１２の任意の箇所にガス抜き用の穴（以下、ガス抜き穴とする）１５が開けられる。ガス抜き穴１５は、チューブ内のガスの体積変化により収縮性樹脂チューブ１２が破損することを防止するためのものであり、必要十分な大きさで任意の個数設けられる。例えば、端部シール部材１０の長手方向の両端面にそれぞれ１つずつガス抜き穴１５を開け、ガス抜きが均等に行われるようにする。
【００１７】
このような端部シール部材１０の製造方法について説明する。
収縮性樹脂チューブ１２に、膨張黒鉛シートなどで形成される本体１１を挿入する。次に、シーラー（熱線式熱融着器）などによってチューブ端１４を溶断し、両端を封止する。これにより、本体１１全面が樹脂で被覆され、密閉される。次に、収縮性樹脂チューブ１２の一部に、直径０．５μｍ程度のガス抜き穴１５を開ける。これにより、チューブ収縮時の内部ガス抜きを行うことができる。次に、本体１１全面が収縮性樹脂チューブ１２で被覆された端部シール部材１０を加熱して収縮性樹脂チューブ１２を収縮させ、端部シール部材１０が製造される。
【００１８】
このような端部シール部材１０の製造方法では、収縮性樹脂チューブ１２に本体１１を挿入した後、チューブの両端を熱融着によって封止することにより、製造工程を簡略化することができる。そして、製造された端部シール部材１０は、両端部のガスシール及び電解不浸透性を確保することができる。また、収縮性樹脂チューブ１２の一部にガス抜き穴１５を開けることにより、収縮性樹脂チューブ１２内のガスの体積変化による破損などを防止することができる。
【００１９】
図２は、第１の実施の形態の燃料電池の単位セルを２積層した状態を示した図である。
図の燃料電池は、セパレータ３０ａ及びセパレータ３０ｂの間に形成される単位セルと、セパレータ３０ｂ及びセパレータ３０ｃの間に形成される単位セルとが２層に積層された状態を示している。
【００２０】
セパレータ３０ａ，３０ｂ，３０ｃは、ガス不透過性及び電解質に対する耐食性を満たしている。例えば、セルロース繊維からなる紙に熱硬化性樹脂を含浸し、乾燥後積層してプレスし、さらに焼成して作成される。
【００２１】
セパレータ３０ａ，３０ｂに挟持される単位セルは、図示しない電解質層の両面に、燃料ガス流路が形成される多孔質カーボン板４０ａと電極部（燃料電極）５０ａとを有する燃料極触媒層と、酸化剤ガスまたは空気の流路（以下、空気流路とする）が形成される多孔質カーボン板４０ｂと電極部（空気電極）５０ｂとを有する空気極触媒層とが配置されている。図の例では、燃料ガス流路と空気流路とは、互いに直交するように重ね合わされている。セパレータ３０ｂ，３０ｃに挟持される単位セルについても同様に、電解質層の両面に多孔質カーボン板４０ｃと電極部５０ｃとを有する燃料極触媒層と、多孔質カーボン板４０ｄと電極部５０ｄとを有する空気極触媒層とが配置されている。
【００２２】
多孔質カーボン板４０ａ，４０ｂ，４０ｃ，４０ｄのガス流路に平行な外延部には、それぞれのガスが対極に漏洩しないように端部シール部材１０ａ，１０ｂ，１０ｃ，１０ｄが配置される。例えば、多孔質カーボン板４０ａのガス流路方向（図面の燃料電池の奥行き方向）の両端にそれぞれ端部シール部材１０ａが配置されている。他の端部シール部材１０ｂ，１０ｃ，１０ｄも同様である。この端部シール部材１０ａ，１０ｂ，１０ｃ，１０ｄは、図１に示した端部シール部材１０と同様に形成される。すなわち、膨張黒鉛シートなどの本体１１全面が収縮性樹脂チューブ１２で被覆されて形成される。また、収縮性樹脂チューブ１２の両端は熱融着により封止され、一部にガス抜き穴が開けられている。このような端部シール部材を、端部シール部材に用いられた収縮性樹脂チューブ１２よりも融点の低い樹脂フィルムを挟んでセパレータ３０ａ，３０ｂ，３０ｃの端部に設置し、ホットプレスにより熱融着する。これにより、燃料電池の端部シール部材が形成される。例えば、セパレータ３０ａに熱融着される端部シール部材１０ａは、端部シール部材１０ａの長手方向両端の端部シール部材端面１６ａでチューブの両端が熱融着され、端部シール部材端面１６ａの多孔質カーボン板４０ａとは反対方向の位置にガス抜き穴１５ａが形成されている。
【００２３】
このような構成の燃料電池では、ガス抜き穴によって、燃料電池の運転中にも生じるチューブ内部のガスの体積変化によるチューブの破損などが防止される。また、両端部も熱融着され、全面が収縮性樹脂チューブで被覆された端部シール材からなる端部シール部材は、要求性能を満たすガス不透過性及び電解質不浸透性を備える。
【００２４】
（実施例１）  東洋炭素（株）製膨張黒鉛シート（ＰＦ２５０、厚さ２．５ｍｍ、かさ密度０．６５ｇ／ｃｃ）を１８×１３０ｍｍに切断したものを、グンゼ（株）ＰＦＡ製熱収縮チューブＳＭＴ（厚さ５０μｍ）中に挿入する。熱収縮チューブ端部を白光（株）製ヒートシーラーＦＶ−８０１により溶断する。そして、溶断部に直径０．５μｍ程度のガス抜き穴を開ける。その後電気炉中にて１８０℃、２時間保持して熱収縮チューブを収縮させる。
【００２５】
続いて、昭和電工（株）製ガラス状カーボン板（ＳＧ−３、厚さ０．６ｍｍ）を１３０×１３０ｍｍに切断してセパレータとする。熱収縮チューブが密着した膨張黒鉛シートを厚さ２５μｍのＦＥＰフィルムを１８０×１３０ｍｍに切断したものを介してセパレータの両端に設置して、３２０℃で１０分間、０．５ＭＰａにて加圧してセパレータ端部シール部材を得る。
【００２６】
上記実施例１により製作された燃料電池は、端部シール部材を透過してのガス洩れ量が１０ｋＰａの差圧化で０．１ｍｌ／ｍｉｎ以下であった。また、電流密度３００ｍＡ／ｃｍ2で２０００時間運転後も洩れの増加はなかった。さらに、運転後の分解調査の結果、端部シール部材への電解質の浸入は見られず、腐食や端部シール部材端面での電解質の液絡も発生しなかった。総じて、実施例１により、好的な端部シール部材構成を備えた燃料電池が得られることが確認された。なお、実施例１では、２０００時間運転後の洩れの増加がないことが確認されたが、樹脂フィルムで覆われた構造の端部シール部材は４００００時間以上の電解質不浸透性が認められており、実施例１についても同様の電解質不浸透性性能が得られると予想される。
【００２７】
次に、第２の実施の形態について説明する。第１の実施の形態では、ガス抜き穴を開ける位置を任意としたが、第２の実施の形態では、端部シール部材の厚さ方向の中央位置よりも上部に開けるとする。
【００２８】
図３は、第２の実施の形態の燃料電池の端部シール部材単体を示した図である。図１に示した端部シール部材と同じものには同じ番号を付し、説明は省略する。
端部シール部材２０は、収縮性樹脂チューブ１２に本体１１を挿入し、チューブ端１４を溶断して両端を封止した後、収縮性樹脂チューブ１２に開けるガス抜き穴２１を、端部シール部材２０の厚さ方向の中央位置よりも上部に開ける。ガス抜き穴２１の大きさは、第１の実施の形態のガス抜き穴１５と同様であり、例えば、直径０．５μｍ程度の穴を開ける。ガス抜き穴２１の位置が異なることを除いて、端部シール部材２０の材料、製造工程は第１の実施の形態と同様である。
【００２９】
このように、ガス抜き穴２１を形成することにより、収縮性樹脂チューブ１２内のガスの体積変化によって収縮性樹脂チューブ１２が破損することを防止することができる。
さらに、ガス抜き穴２１を端部シール部材２０の厚みの中央よりも上部に開けることにより、チューブ内に凝縮水が溜まった際に、収縮性樹脂チューブ１２から凝縮水が垂れ落ちることを防止することができる。
【００３０】
樹脂性の収縮チューブには水蒸気透過性があり、運転中にチューブ内に透過した水蒸気が、停止時に凝縮してチューブ内に凝縮水として溜まる場合がある。この状態でガス抜き穴２１が端部シール部材２０の下部に開いていると、チューブ内の凝縮水がガス抜き穴２１から垂れ落ち、構造部材の錆びや電気部品の絶縁性低下の原因となる。よって、ガス抜き穴２１を端部シール部材２０の上部に開けることにより、凝縮水の垂れ落ちを防止し、構造部材の錆びや電気部品の絶縁性低下を防ぐことが可能となる。
【００３１】
図４は、第２の実施の形態の燃料電池の単位セルを２積層した状態を示した図である。図２に示した各部と同じものには同じ番号を付し、説明は省略する。
多孔質カーボン板４０ａ，４０ｂ，４０ｃ，４０ｄのガス流路に平行な外延部に、それぞれのガスが対極に漏洩しないように端部シール部材２０ａ，２０ｂ，２０ｃ，２０ｄが配置される。図２に示した第１の実施の形態の端部シール部材１０ａ，１０ｂ，１０ｃ，１０ｄが端部シール部材２０ａ，２０ｂ，２０ｃ，２０ｄに置き換わったことを除き、他の構成は第１の実施の形態と同様である。
【００３２】
多孔質カーボン板４０ａ，４０ｂ，４０ｃ，４０ｄのガス流路に平行な外延部には、それぞれのガスが対極に漏洩しないように端部シール部材２０ａ，２０ｂ，２０ｃ，２０ｄが配置される。この端部シール部材２０ａ，２０ｂ，２０ｃ，２０ｄは、図３に示した端部シール部材２０と同様に形成される。すなわち、膨張黒鉛シートなどの本体１１を被覆する収縮性樹脂チューブ１２の厚みの中央よりも上部にガス抜き穴２１が開けられている。このような端部シール部材を、端部シール部材に用いられた収縮性樹脂チューブ１２よりも融点の低い樹脂フィルムを挟んでセパレータ３０ａ，３０ｂ，３０ｃの端部に設置し、ホットプレスにより熱融着する。このとき、ガス抜き穴２１が上部となる向きに端部シール部材を配置する。これにより、燃料電池の端部シール部材が形成される。例えば、セパレータ３０ａに熱融着される端部シール部材２０ａは、端部シール部材２０ａの長手方向両端の端部シール部材端面２２ａでチューブの両端が熱融着され、端部シール部材端面２２ａの多孔質カーボン板４０ａとは反対方向であって、端部シール部材２０ａの厚み方向の中央よりも上部にガス抜き穴２１ａが形成されている。
【００３３】
このような構成の燃料電池では、ガス抜き穴によって、燃料電池の運転中にも生じるチューブ内部のガスの体積変化によるチューブの破損などが防止される。さらに、ガス抜き穴の位置を端部シール部材の厚みの中央よりも上部とすることによって、収縮性樹脂チューブ１２内に凝縮水が溜まった際に、チューブ内から凝縮水が垂れ落ちることを防止することができる。また、両端部も熱融着され、全面が収縮性樹脂チューブ１２で被覆された端部シール材からなる端部シール部材は、要求性能を満たすガス不透過性及び電解質不浸透性を備える。
【００３４】
（実施例２）  東洋炭素（株）製膨張黒鉛シート（ＰＦ２５０、厚さ２．５ｍｍ、かさ密度０．６５ｇ／ｃｃ）を１８×１３０ｍｍに切断したものを、グンゼ（株）ＰＦＡ製熱収縮チューブＳＭＴ（厚さ５０μｍ）中に挿入する。熱収縮チューブ端部を白光（株）製ヒートシーラーＦＶ−８０１により溶断する。そして、溶断部の上部（溶断部の中央よりも上）に直径０．５μｍ程度のガス抜き穴を開ける。その後電気炉中にて１８０℃、２時間保持して熱収縮チューブを収縮させる。
【００３５】
続いて、昭和電工（株）製ガラス状カーボン板（ＳＧ−３、厚さ０．６ｍｍ）を１３０×１３０ｍｍに切断してセパレータとする。熱収縮チューブが密着した膨張黒鉛シートを厚さ２５μｍのＦＥＰフィルムを１８０×１３０ｍｍに切断したものを介してセパレータの両端に設置して、３２０℃で１０分間、０．５ＭＰａにて加圧してセパレータ端部シールを得る。その際、直径０．５μｍ程度の穴を開けた方が上部となるように端部シールを設置する。
【００３６】
上記実施例２により製作された燃料電池は、端部シール部材を透過してのガス洩れ量が１０ｋＰａの差圧化で０．１ｍｌ／ｍｉｎ以下であった。また、電流密度３００ｍＡ／ｃｍ2で２０００時間運転後も洩れの増加はなかった。さらに、運転の起動と停止を繰り返しても、熱収縮チューブ内の凝縮水が垂れ落ちることはなかった。運転後の分解調査の結果、端部シール部材への電解質の浸入は見られず、腐食や端部シール部材端面での電解質の液絡も発生しなかった。総じて、実施例２により、好的な端部シール部材構成を備えた燃料電池が得られることが確認された。
【図面の簡単な説明】
【００３７】
【図１】第１の実施の形態の燃料電池の端部シール部材単体を示した図である。
【図２】第１の実施の形態の燃料電池の単位セルを２積層した状態を示した図である。
【図３】第２の実施の形態の燃料電池の端部シール部材単体を示した図である。
【図４】第２の実施の形態の燃料電池の単位セルを２積層した状態を示した図である。
【図５】燃料電池の単位セルを２積層した状態を示した概略構成図である。
【符号の説明】
【００３８】
１０，１０ａ，１０ｂ，１０ｃ，１０ｄ  端部シール部材
１１  本体
１２  収縮性樹脂チューブ
１３  溶断部
１４  チューブ端
１５，１５ａ  ガス抜き穴
１６ａ  端部シール部材端面
３０ａ，３０ｂ，３０ｃ  セパレータ
４０ａ，４０ｂ，４０ｃ，４０ｄ  多孔質カーボン板
５０ａ，５０ｂ，５０ｃ，５０ｄ  電極部
【図１】
0005332289.tif 000002
【図２】
0005332289.tif 000003
【図３】
0005332289.tif 000004
【図４】
0005332289.tif 000005
【図５】
0005332289.tif 000006